(57)【要約】    【課題】  少ない構成部材で防音パネルを容易且つ安価に製作できると共に、中空体内への吸音材の装入を容易にできる等、防音パネルの組み立てを容易にできるようにする。    【解決手段】  中空体２０内に吸音材２１を装入して成る防音パネル６を備え、中空体２０は前後の一方側に吸音材２１を装入可能な開放部３０を有し且つ吸音材２１を収容し得る前後方向の深さを有する第１部材２３と、第１部材２３の開放側に接合手段４７を介して接合され且つ開放部３０を閉鎖する第２部材２５とを備える。また中空体２０は幅方向の一方側に接合用の嵌合凸部３３を、他方側に嵌合凸部３３に対応する接合用の嵌合凹部３４を夫々長手方向に備える。両部材２３，２５の少なくとも一方の外側に音を乱反射させる凹凸状の乱反射面４３を形成する。【選択図】    図２
2006283512.tif 000002
【特許請求の範囲】
【請求項１】
中空体（２０）内に吸音材（２１）を装入して成る防音パネル（６）を備えた防音壁において、前記中空体（２０）は前後の一方側に前記吸音材（２１）を装入可能な開放部（３０）を有し且つ前記吸音材（２１）を収容し得る前後方向の深さを有する第１部材（２３）と、該第１部材（２３）の開放側に接合手段（４７）を介して接合され且つ前記開放部（３０）を閉鎖する第２部材（２５）とを備えていることを特徴とする防音壁。
【請求項２】
前記両部材（２３）（２５）の少なくとも一方に、その上下両端側から相手側に向かって屈曲する上壁部（２７）及び下壁部（２８）を一体に備えたことを特徴とする請求項１に記載の防音壁。
【請求項３】
前記両部材（２３）（２５）の少なくとも一方の外側に音を乱反射させる凹凸状の乱反射面（４３）を形成したことを特徴とする請求項１又は２に記載の防音壁。
【請求項４】
前記中空体（２０）は幅方向の一方側に接合用の嵌合凸部（３３）を、他方側に前記嵌合凸部（３３）に対応する接合用の嵌合凹部（３４）を夫々長手方向に備え、前記嵌合凸部（３３）は前記両部材（２３）（２５）の少なくとも一方に形成され又は前記両部材（２３）（２５）に跨がって形成され、前記嵌合凹部（３４）は前記両部材（２３）（２５）の少なくとも一方に形成され又は前記両部材（２３）（２５）に跨がって形成されていることを特徴とする請求項１〜３の何れかに記載の防音壁。
【請求項５】
前記両部材（２３）（２５）の少なくとも一方に、相手側へと突出して前記中空体（２０）の内部を幅方向に複数個の空間に区画する区画リブ（５２）を長手方向に一体に備え、前記空間に前記吸音材（２１）を配置したことを特徴とする請求項１〜４の何れかに記載の防音壁。
【発明の詳細な説明】
【技術分野】
【０００１】
本発明は、防音フェンス等に使用する防音壁に関するものである。
【背景技術】
【０００２】
道路、鉄道等の路肩に設置する防音壁、住宅地等の境界に設置する防音フェンスには、中空体内にロックウール、グラスウール等の吸音材を装入した防音パネルが使用されている。
【０００３】
例えば、道路、鉄道等の路肩に設置する防音壁は、前面板、背面板及び側面板で左右方向に長い箱状の中空体を構成し、その中空体の内部に吸音材を充填した防音パネルを使用し、この防音パネルを上下方向に複数段重ねている（特許文献１）。
【０００４】
また住宅地等の境界に設置する防音フェンスは、上下一対の横框間に、内部に吸音材が充填された防音パネルを配置している。そして、その防音パネルは、上下一対の横框と、この両横框間に配置された前面板及び背面板と、この前面板、背面板間に介在され且つ内部を上下方向に複数個の中空室に区画する区画板とにより中空体を構成し、前面板及び背面板の上下両端を各横框の溝に挿入すると共に、区画板により前面板と背面板とを固定し、各中空室にグラスウール等の吸音材を挿入している（特許文献２）。
【特許文献１】特開２００４−１３２０１８号公報
【特許文献２】特開２００４−３０８１７８号公報
【発明の開示】
【発明が解決しようとする課題】
【０００５】
前者の防音壁は、左右方向に長い箱状の中空体を使用しているため、その開放端側から中空体内に吸音材を押し込みながら挿入する必要がある。このため中空体の長さが長い場合には吸音材の挿入作業が煩雑であり、特に押し込み時の加圧等によって吸音材が中空体内で座屈して局部的に集中する等のムラが生じ易く、吸音材を均一に充填し難い欠点がある。
【０００６】
また後者の防音フェンスでも、区画板により前面板と背面板とを固定し、その区画板により区画された各中空室に吸音材を挿入しているため、前者の防音壁と同様の問題がある。しかも、後者の防音フェンスでは、防音パネルの構成部材が非常に多くコスト的に高くなる等の問題がある。
【０００７】
本発明は、このような従来の要請に鑑み、少ない構成部材で防音パネルを容易且つ安価に製作できると共に、中空体内への吸音材の装入を容易にできる等、防音パネルの組み立てを容易にできる防音壁を提供することを目的とする。
【課題を解決するための手段】
【０００８】
本発明は、中空体２０内に吸音材２１を装入して成る防音パネル６を備えた防音壁において、前記中空体２０は前後の一方側に前記吸音材２１を装入可能な開放部３０を有し且つ前記吸音材２１を収容し得る前後方向の深さを有する第１部材２３と、該第１部材２３の開放側に接合手段４７を介して接合され且つ前記開放部３０を閉鎖する第２部材２５とを備えている。
【０００９】
前記両部材２３，２５の少なくとも一方に、その上下両端側から相手側に向かって屈曲する上壁部２７及び下壁部２８を一体に備えてもよい。前記両部材２３，２５の少なくとも一方の外側に音を乱反射させる凹凸状の乱反射面４３を形成してもよい。前記中空体２０は幅方向の一方側に接合用の嵌合凸部３３を、他方側に前記嵌合凸部３３に対応する接合用の嵌合凹部３４を夫々長手方向に備え、前記嵌合凸部３３は前記両部材２３，２５の少なくとも一方に形成され又は前記両部材２３，２５に跨がって形成され、前記嵌合凹部３４は前記両部材２３，２５の少なくとも一方に形成され又は前記両部材２３，２５に跨がって形成されたものでもよい。前記両部材２３，２５の少なくとも一方に、相手側へと突出して前記中空体２０の内部を幅方向に複数個の空間に区画する区画リブ５２を長手方向に一体に備え、前記空間に前記吸音材２１を配置してもよい。
【発明の効果】
【００１０】
本発明では、少ない構成部材で防音パネルを容易且つ安価に製作できると共に、中空体内への吸音材の装入を容易にできる等、防音パネルの組み立てを容易にできる。
【発明を実施するための最良の形態】
【００１１】
以下、本発明の実施例を図面に基づいて詳述する。図１〜図７は本発明に係る防音壁を防音フェンスに利用した第１の実施例を例示する。
【００１２】
この防音フェンスは、図１（Ａ）（Ｂ）に示すように左右方向に配置された上下一対の横框１と、左右両端及び左右方向の中間で上下一対の横框１間に配置された縦框２と、横框１及び縦框２間に配置されたパネル壁３とを備え、支柱４に取り付け金具５を介して取り付けられている。なお、パネル壁３は左右に２組あるが、１組でも良い。
【００１３】
パネル壁３は図２〜図６に示すように、所定の上下幅と左右長さとを有する複数個の防音パネル６を備え、この各防音パネル６を上下方向に接合して構成されている。そして、このパネル壁３は、その上下両端及び左右両端に固定された取り付け板７，８を介して、上下一対の横框１及び左右一対の縦框２に取り付けられている。
【００１４】
上下の各横框１は図２〜図５に示すようにパネル壁３側が開放する形状であって、例えば角筒状等の横框本体部９と、この横框本体部９のパネル壁３側に長手方向に一体に形成された前後一対の前後壁１０とを備え、その両前後壁１０の開放端側の内面に、前後に相対向する取り付け溝１１が長手方向に形成されている。そして、上下の各横框１には、取り付け溝１１を介して取り付け板７が結合されている。各取り付け板７は横框本体部９から前側に突出する突出部１２と、パネル壁３と反対側に配置された前後一対の突条部１３とを長手方向に備え、その各突条部１３が横框１の取り付け溝１１に挿入され、各横框１の開放側を塞ぐように配置されている。
【００１５】
左右両端及び中間の各縦框２は図２、図４、図６に示すように、横框１と略同一の前後幅を有する角筒状等の縦框本体部１４と、この縦框本体部１４のパネル壁３側から前側へと突出する突出部１５と、この突出部１５の前端側及び縦框本体部１４の後端側からパネル壁３側へと突出する前後一対の挟持縁２ａとが長手方向に形成され、その前後の挟持縁２ａ間に、パネル壁３の端部が取り付け板８を介して嵌合されている。
【００１６】
各縦框本体部１４のパネル壁３側の面には、このパネル壁３と反対側に凹入する凹部１６が、パネル壁３と反対側の面には、パネル壁３側に凹入する凹部１７が夫々長手方向に形成されている。また縦框本体部１４内にはネジ螺合部１８が長手方向に形成されいる。そして、中間の縦框２は背中合わせ状に当接して２本配置され、その両凹部１７間にゴム、その他の弾性材からなる弾性気密材１９が配置されている。
【００１７】
各防音パネル６は図２〜図６に示すように中空体２０と、この中空体２０の内部に装入されたロックウール、グラスウール等の吸音材２１とを備えている。吸音材２１は防水性を有する合成樹脂製フィルム、シート等からなる保護袋２２内に収容されており、その吸音作用により音を極力減衰させるように、中空体２０内の略全体に略均一に装入されている。なお、保護袋２２は吸音材２１への水等の浸透を防止できるものであればよい。
【００１８】
中空体２０は図２〜図７に示すように、後側に吸音材２１を装入可能な開放部３０を有し且つ吸音材２１を収容し得る前後方向の深さを有する前面部材２３と、この前面部材２３の開放部３０側に上下一対の係合手段２４を介して接合され且つ開放部３０を閉鎖する背面部材２５とを備えている。なお、前面部材２３により第１部材が、背面部材２５により第２部材が夫々構成されている。
【００１９】
前面部材２３は前面側の前壁部２６と、この前壁部２６の上下両端側から相手側の背面部材２５側に向かって後側に屈曲する上壁部２７及び下壁部２８と、上壁部２７及び下壁部２８の後端から上下方向の内側に屈曲する上下一対の接合縁２９とを一体に備え、その上下の接合縁２９間が開放部３０となっている。前壁部２６は前下り状に傾斜する左右方向の傾斜部３１と、この傾斜部３１の下側で前側に突出する左右方向の凸部３２とを上下に複数組備えたガラリー状であり、その傾斜部３１及び凸部３２によって、前方からの音を乱反射させる乱反射面４３が凹凸状に形成されている。
【００２０】
中空体２０の幅方向の一方側である下壁部２８には接合用の嵌合凸部３３が、他方側である上壁部２７には嵌合凸部３３に対応する接合用の嵌合凹部３４が夫々長手方向に一体に形成されると共に、上壁部２７の内側に嵌合凹部３４に対応して内側にネジ螺合部３４ａが長手方向に一体に形成されている。そして、上下に隣接する防音パネル６は、上側の防音パネル６の嵌合凸部３３をその下側の防音パネル６の嵌合凹部３４に嵌合させて、その両者間にゴム、その他の弾性材からなる弾性気密材１９を介在して接合されている。
【００２１】
下壁部２８の前端側には、上側の防音パネル６の嵌合凸部３３を下側の防音パネル６の嵌合凹部３４に嵌合させたときに、下側の防音パネル６の前壁部２６の上端に前側から重なる前重なり部３５が長手方向に形成されている。嵌合凸部３３及び前重なり部３５の下端は略同一高さであり、パネル壁３の下端の防音パネル６は、嵌合凸部３３及び重なり部３５がその下側の取り付け板７に当接する。なお、下端の防音パネル６とその下側の取り付け板７との間にゴム、その他の弾性材からなる弾性気密材を介在してもよい。
【００２２】
背面部材２５は略平坦な平板状であって、この背面部材２５の前面部材２３側である前面には、その上下両端から内側に離れた位置に上下の各接合縁２９に対応して係合爪３６及び係合突部３７が長手方向に一体に形成されている。係合突部３７は下向きに鉤状に屈曲し、下側の接合縁２９に上側から係脱自在に係合する。
【００２３】
係合爪３６は前端上側に案内面を有し、係合突部３７を下側の接合縁２９に係合させた状態で、その係合部分を支点として背面部材２５の上部側を前面部材２３側へと押圧したときに弾性変形して、前面部材２３の上側の接合縁２９に下側から係合可能である。なお、上側の接合縁２９と係合爪３６、下側の接合縁２９と係合突部３７により上下一対の係合手段２４が夫々構成されている。この係合手段２４は、左右方向に相対的に摺動させることにより、係合状態を解除可能である。
【００２４】
背面部材２５の上端部には、係合爪３６の上側に前側寄りの段差部３８が長手方向に形成され、また下端部には下側の防音パネル６の背面部材２５の段差部３８を背面側から押さえる押さえ部３９が長手方向に形成されている。なお、前面部材２３、背面部材２５の上下両端は略一致している。
【００２５】
各パネル壁３の左右両側には、図２、図４に示すように上下方向の各防音パネル６に跨がって取り付け板８が上下方向の略全長に配置されている。各取り付け板８は各防音パネル６の中空体２０のネジ螺合部３４ａに螺合するネジ４０により各防音パネル６に固定されている。なお、取り付け板８には、ネジ４０の頭部の前後両側にリブ４１が上下方向に一体に形成されており、この取り付け板８を縦框２の前後一対の挟持縁２ａ間に嵌合させたときに、そのリブ４１が縦框２の凹部１６に嵌合して前後方向の迷路を形成するようになっている。
【００２６】
パネル壁３の上下両側には、中間の縦框２、左右の各パネル壁３の両側を経て左右両端の縦框２に跨がって取り付け板７が左右方向に配置され、縦框２のネジ螺合部１８に螺合するネジ４２により各パネル壁３の左右両側の縦框２に固定されている。なお、各取り付け板７は、タッピングネジ等のネジにより、各パネル壁３の左右方向の中間部に固定してもよい。但し、この場合には、吸音材２１の保護袋２２を損傷しないような長さのネジを用いることが望ましい。上下の各横框１、各取り付け板７の左右両端には、その小口側を覆う端部キャップ４４，４５が装着され、ネジ等で固定されている。
【００２７】
防音パネル６の組み立てに際しては、先ず前面部材２３にその背面側の開放部３０からグラスウール等の吸音材２１を装入する。この場合、前面部材２３の背面側にその左右方向の略全体にわたって開放部３０があり、その開放部３０から前面部材２３内に吸音材２１を装入すればよいので、吸音材２１の装入が非常に容易であると共に、中空体２０内での吸音材２１の偏り等のムラを防止できる。
【００２８】
次に背面部材２５の係合突部３７を前面部材２３の下側の接合縁２９に係合させた後、その係合部分を支点として背面部材２５を前面部材２３側へと回動させる。これによって係合爪３６が弾性変形して上側の接合縁２９に係合するため、前面部材２３と背面部材２５とを容易に接合でき、吸音材２１の装入が容易であることと相まって、簡単な作業で防音パネル６を容易に組み立てることができる。
【００２９】
また中空体２０は、背面側に開放部３０を有する前面部材２３と、その開放部３０を塞ぐ背面部材２５とを備え、その両者を上下一対の係合手段２４で係合させて接合しているため、中空体２０を２部材で構成でき、その構造が非常に簡単であり、防音パネル６を低コストで容易に製作できる利点がある。しかも背面部材２５の荷重がかかる下部側を鉤状の係合突部３７とし、上部側を弾性変形可能な係合爪３６としているので、係合手段２４で前面部材２３と背面部材２５とを接合しているにも拘わらず、係合爪３６に必要以上の荷重がかかるようなことがなく、係合手段２４の損傷等を極力防止できる。
【００３０】
各パネル壁３の組み立て時には、弾性気密材１９を介在しながら、下側の防音パネル６の嵌合凹部３４内に上側の防音パネル６の嵌合凸部３３を嵌め込み、所定段数の防音パネル６を上下に連結する。この場合、各防音パネル６は左右両側の取り付け板８を介して上下に固定する。例えば、最下部の防音パネル６の両側に取り付け板８をネジ４０で固定しておき、下側の防音パネル６上に次の防音パネル６を嵌合する都度、上側の防音パネル６をネジ４０で取り付け板８に固定しながら、順次各防音パネル６を連結して行く。
【００３１】
各パネル壁３の組み立てが完了すれば、左右のパネル壁３の両側に縦框２を配置した状態となるので、中間で２本の縦框２を背中合わせ状に当接させて、その状態で上・下の取り付け板７と各縦框２とをネジ４２により固定する。この場合、中間の２本の縦框２間、上側の取り付け板７と最上位の防音パネル６間等に必要に応じて弾性気密材１９を介在する。そして、上下の各取り付け板７の突条部１３を各横框１の取り付け溝１１に相対的に挿入する。
【００３２】
このような構成のパネル壁３では、少ない構成部材で防音パネル６を容易且つ安価に製作できると共に、中空体２０内への吸音材２１の装入を容易にできる等、防音パネル６の組み立てを容易にできる。また孔等のない前面部材２３と背面部材２５とにより中空体２０を構成し、その内部に吸音材２１を挿入する一方、前面部材２３の前壁部２６に音の乱反射面４３を凹凸状に形成しているので、各防音パネル６の前面部材２３、背面部材２５の遮音作用、乱反射面４３の乱反射作用、吸音材２１の減衰作用等によって、パネル壁３の前側からの外部音を防音できる。また各防音パネル６の嵌合部分、縦框２相互間に弾性気密材１９を介在する等、必要箇所に弾性気密材１９を設けているため、その隙間から音が侵入するようなこともない。
【００３３】
防音パネル６の接合状態において、上側の防音パネル６の前面部材２３の下端側に前重なり部３５があり、この前重なり部３５が下側の防音パネル６の前面部材２３の上端に前側から重なっているため、上下の防音パネル６の接合部分を前側から覆い見栄えを良好にできる。また上側の防音パネル６の背面部材２５の押さえ部３９が下側の防音パネル６の背面部材２５の段差部３８に背面側から重なっているため、最上位以外の防音パネル６において、背面部材２５に後方への外力が加わるような場合でも、係合爪３６が弾性変形して上側の接合縁２９から外れるようなことはない。
【００３４】
グラスウール等の吸音材２１は保護袋２２内に収容しているため、前面部材２３内への吸音材２１の装入作業が容易であると共に、吸音材２１による雨水等の水分の吸収を極力防止でき、吸音材２１の水分の吸収に伴う吸音効果の低下を防止できる。また降雨後の水の切れも良好である。
【００３５】
図８（Ａ）（Ｂ）は本発明の第２の実施例を例示する。吸音材２１は図８（Ａ）に示すように保護袋２２に入れない状態で中空体２０の上壁部２７、下壁部２８間に装入してもよいし、図８（Ｂ）に示すように中空体２０の内面形状にそってその内部空間の略全体に充填してもよい。このように吸音材２１は、中空体２０の上下、左右の略全体にわたる状態に装入できれば、どのような装入形態を採用してもよい。なお、保護袋２２はなくてもよい。
【００３６】
図９は本発明の第３の実施例を例示する。前面部材２３及び背面部材２５は、その前壁部２６及び後壁部５０が前後方向の外側へと膨らむように湾曲しており、また前壁部２６にはその湾曲方向に複数個の湾曲凸部２６ａが長手方向に形成され、その前面が乱反射面４３となっている。後壁部５０は平滑な湾曲面となっている。
【００３７】
このように前面部材２３、背面部材２５は円弧状に湾曲させてもよい。なお、この実施例では、前面部材２３、背面部材２５が共に円弧状に湾曲しているが、背面部材２５を平坦状にしてもよいし、背面部材２５を前面部材２３と同形状にしてもよい。また前面部材２３と背面部材２５との曲率を同じにしてもよいし、変えてもよい。
【００３８】
図１０（Ａ）〜（Ｃ）は本発明の第４の実施例を例示する。前面部材２３と背面部材２５との接合手段４７は、第１の実施例に例示する係合手段２４の他、この図１０（Ａ）〜（Ｃ）に示すように構成してもよい。図１０（Ａ）の接合手段４７は、前面部材２３側の開放部３０の上下両側に設けられた上下一対の接合縁２９と、背面部材２５の前面部材２３側に設けられ且つ各接合縁２９に対して開放部３０側から係合する上下一対の係合爪３６とを備えた係合手段２４により構成されている。この場合には、背面部材２５を前面部材２３に対してその後方から接合できる。
【００３９】
図１０（Ｂ）（Ｃ）の接合手段４７は、前面部材２３側の開放部３０の上下両側に設けられた上下一対の接合溝４８と、背面部材２５の前面に設けられ且つ各接合溝４８に対して左右方向に摺動自在に嵌合する上下一対の接合突条４９とを備えている。接合溝４８、接合突条４９の向き等が多少異なるが、何れの場合にも、前面部材２３の接合溝４８に対して背面部材２５の接合突条４９を左右方向に挿脱でき、前面部材２３と背面部材２５とを容易に接合可能である。
【００４０】
なお、背面部材２５は前面部材２３の開放部３０を覆う程度の大きさとし、接合突条４９を接合溝４８に挿入したときに、前面部材２３の上下の接合縁２９間に嵌合し且つその背面が接合縁２９の背面と略面一状になるようにしてもよい。
【００４１】
図１１（Ａ）〜（Ｄ）は本発明の第５の実施例を例示する。前面部材２３、背面部材２５は、この図１１（Ａ）〜（Ｄ）に示すように構成してもよい。即ち、中空体２０は前面部材２３、背面部材２５の少なくとも一方に、上下両側から相手側に向かって屈曲する上壁部２７及び下壁部２８を一体に備えておればよく、また嵌合凸部３３、嵌合凹部３４は前面部材２３と背面部材２５との少なくとも一方に形成するか、前面部材２３と背面部材２５との両者に跨がって形成してもよい。
【００４２】
図１１（Ａ）の中空体２０では、前面部材２３は前面に乱反射面４３を有する凹凸形状の前壁部２６により略全体が構成され、背面部材２５は後壁部５０と、この後壁部５０の上下両側から前面部材２３側へと屈曲する上壁部２７、下壁部２８とが一体に形成され、その上壁部２７と下壁部２８との前端側が開放部３０となっている。そして、上壁部２７及び下壁部２８の前端に上下の接合縁２９が設けられ、また前後方向の中間に嵌合凹部３４及び嵌合凸部３３が設けられている。前面部材２３は上下一対の係合手段２４を介して背面部材２５に接合されている。なお、この場合には、前面部材２３が第２部材となり、背面部材２５が第１部材となる。
【００４３】
図１１（Ｂ）の中空体２０は、前面部材２３、背面部材２５にその前壁部２６、後壁部５０の上下両側から相手側へと屈曲する上壁部２７、下壁部２８が一体に形成され、その相対向する側が開放部３０となっている。前面部材２３と背面部材２５は、その上壁部２７、下壁部２８の対向端側で接合溝４８、接合突条４９等からなる接合手段４７により接合されている。そして、中空体２０の上壁部２７及び下壁部２８に、前面部材２３と背面部材２５とに跨がって嵌合凹部３４、嵌合凸部３３が形成されている。
【００４４】
図１１（Ｃ）の中空体２０は、上壁部２７に嵌合凸部３３が、下壁部２８に嵌合凹部３４が夫々形成されている。図１１（Ｄ）の中空体２０は、上壁部２７に前後方向に複数個、例えば２個の嵌合凹部３４が、下壁部２８に前後方向に複数個、例えば２個の嵌合凸部３３が夫々形成されている。
【００４５】
図１２（Ａ）〜（Ｃ）は本発明の第６の実施例を例示する。中空体２０の幅が大きい場合には、この図１２（Ａ）〜（Ｃ）に示すように前面部材２３と背面部材２５との少なくとも一方に、相手側へと突出して中空体２０の内部を幅方向（上下方向）に複数個の空間に区画する１個又は複数個の区画リブ５２を長手方向に一体に備え、その区画リブ５２により区画された各空間に吸音材２１を配置している。このようにすれば、中空体２０の幅が大きい場合にも、幅の狭い吸音材２１を使用でき、また中空体２０内での吸音材２１の移動を確実に阻止できる。
【００４６】
図１２（Ａ）の中空体２０は、前面部材２３に上壁部２７と下壁部２８とがあるため、前面部材２３の前壁部２６の略中央から背面部材２５側へと突出する区画リブ５２が設けられている。図１２（Ｂ）の中空体２０は、前面部材２３及び背面部材２５の両方に上壁部２７と下壁部２８とがあるため、その両者の前壁部２６、後壁部５０の略中央から相手側へと突出する区画リブ５２が設けられている。図１２（Ｃ）の中空体２０は、背面部材２５に上壁部２７、下壁部２８があるため、背面部材２５の後壁部５０の略中央に区画リブ５２が設けられている。なお、区画リブ５２は前面部材２３、背面部材２５の内、上壁部２７、下壁部２８がある側に設けるのが望ましいが、上壁部２７、下壁部２８に関係なく設けてもよい。
【００４７】
図１３、図１４は本発明の第７の実施例を例示する。この防音フェンスのパネル壁３は、縦長状の防音パネル６を使用して、その防音パネル６を左右方向に複数個接合したものでもよい。このような防音パネル６の場合にも、前面部材２３の幅方向の両側（左右両側）に、背面部材２５側へと屈曲する側壁部５３を設け、その一方の側壁部５３に嵌合凹部３４を、他方の側壁部５３に嵌合凸部３３を夫々設ける等すれば、各実施例と同様に実施することが可能である。なお、前面部材２３の前壁部２６は波板状になっている。
【００４８】
以上、本発明の各実施例について詳述したが、本発明はこれらの実施例に限定されるものではなく、その他種々の態様で実施することができる。例えば、各実施例では防音フェンスに使用する場合について説明したが、道路の路肩等に設置する防音壁の他、建物の雨戸、玄関ドア等に組み込む防音壁としても利用可能である。
【００４９】
中空体２０を構成する第１部材と第２部材との２部材の内、その少なくとも第１部材が前後の一方側に吸音材２１を装入可能な開放部３０を有し且つ吸音材２１を収容し得る前後方向の深さを有するものであればよい。従って、前面部材２３が吸音材２１を収容し得る前後方向の深さを有する構造でもよいし、背面部材２５に吸音材２１を収容するようにしてもよいし、前面部材２３と背面部材２５との両者に跨がって吸音材２１を収容するようにしてもよい。また前面部材２３、背面部材２５に開放部３０を設けた場合、その開放部３０は吸音材２１の前後方向の装入に支障のない大きさであれば十分である。
【００５０】
接合手段４７は、中空体２０を構成する２部材を容易に接合できる形式のものであれば十分である。しかし、実施上からは、係合爪３６等の係合部と、接合縁２９等の被係合部とを備えた係合手段２４のように、互いに接合関係にある接合部、被接合部が前面部材２３、背面部材２５の２部材と一体に形成されており、ネジ等の別部品を使用せずに接合できるものであることが望ましい。
【００５１】
音の乱反射面４３は、前面部材２３と背面部材２５との少なくとも一方の外側にあれば十分である。例えば、道路と敷地との境界に設置した防音フェンスにおいて、道路側からの音を遮蔽する場合には、実施例のように前面部材２３に乱反射面４３を設ければよいが、敷地内の音が外部に伝わらないように遮蔽する場合には、背面部材２５に乱反射面４３を設ければよい。また前面部材２３、背面部材２５の両側に乱反射面４３を設けてもよい。更に乱反射面４３の凹凸形状は、意匠性等を考慮しながら、異なる方向の面が複数できるようにすればよい。乱反射面４３は、凹凸形状を有するシート体、その他の材料を前面部材２３、背面部材２５の外表面に装着して形成してもよい。
【００５２】
前面部材２３、背面部材２５はアルミ系の押し出し型材が適当であるが、合成樹脂製、板金製等でもよい。吸音材２１は保護袋２２に収容することが望ましいが、保護袋２２を省略してもよい。また中空体２０内に雨水等が侵入し難い構造の場合には、フィルム、その他の保護シートで吸音材２１を覆うようにしてもよい。
【図面の簡単な説明】
【００５３】
【図１】（Ａ）は本発明の第１の実施例を示す防音フェンスの正面図、（Ｂ）はその平面図である。
【図２】本発明の第１の実施例を示す防音フェンスの要部の分解斜視図である。
【図３】本発明の第１の実施例を示す防音フェンスの縦断面図である。
【図４】本発明の第１の実施例を示す防音フェンスの正面断面図である。
【図５】（Ａ）（Ｂ）は本発明の第１の実施例を示す防音フェンスの要部の拡大縦断面図である。
【図６】本発明の第１の実施例を示す防音フェンスの要部の拡大横断面図である。
【図７】本発明の第１の実施例を示す中空体の断面図である。
【図８】（Ａ）（Ｂ）は本発明の第２の実施例を示す防音パネルの縦断面図である。
【図９】本発明の第３の実施例を示す中空体の断面図である。
【図１０】（Ａ）〜（Ｃ）は本発明の第４の実施例を示す中空体の断面図である。
【図１１】（Ａ）〜（Ｄ）は本発明の第５の実施例を示す中空体の断面図である。
【図１２】（Ａ）〜（Ｃ）は本発明の第６の実施例を示す防音パネルの縦断面図である。
【図１３】本発明の第７の実施例を示す防音フェンスの正面図である。
【図１４】本発明の第７の実施例を示す防音パネルの横断面図である。
【符号の説明】
【００５４】
６    防音パネル
２０  中空体
２１  吸音材
３０  開放部
２３  前面部材（第１部材）
２５  背面部材（第２部材）
２７  上壁部
２８  下壁部
３３  嵌合凸部
３４  嵌合凹部
４３  乱反射面
５２  区画リブ
【図１】
2006283512.tif 000003
【図２】
2006283512.tif 000004
【図３】
2006283512.tif 000005
【図４】
2006283512.tif 000006
【図５】
2006283512.tif 000007
【図６】
2006283512.tif 000008
【図７】
2006283512.tif 000009
【図８】
2006283512.tif 000010
【図９】
2006283512.tif 000011
【図１０】
2006283512.tif 000012
【図１１】
2006283512.tif 000013
【図１２】
2006283512.tif 000014
【図１３】
2006283512.tif 000015
【図１４】
2006283512.tif 000016